(57)【要約】  発熱する電子機器が存在する場合であっても、操作者に対する快適性を維持しつつ消費電力を抑制可能な空気調和機を得ることを目的とした、発熱する電子機器の存在する空間を空調制御する空気調和機１００であって、運転時に発熱する電子機器と無線通信又は有線通信可能な通信部１０１と、この電子機器の居場所を特定可能なセンサ部１０２と、空気調和機の動作を制御する制御部１０５とを備え、制御部１０５は、発熱する電子機器の運転状態及び消費電力情報を通信部１０１により取得し、センサ部１０２を用いて発熱する電子機器の居場所を特定し、発熱量及び消費電力情報に応じて運転状態を制御する。なお、運転時に発熱する電子機器には掃除機を例示することができる。
2017145225.tif 000002
【特許請求の範囲】
【請求項１】
発熱する電子機器の存在する空間を空調制御する空気調和機であって、
運転時に発熱する電子機器と無線通信又は有線通信可能な通信部と、
前記電子機器の居場所を特定可能なセンサ部と、
前記空気調和機の動作を制御する制御部とを備え、
前記制御部は、
前記電子機器の運転状態及び消費電力情報を前記通信部により取得し、
前記センサ部を用いて前記電子機器の居場所を特定し、
前記電子機器の発熱量及び前記消費電力情報に応じて運転状態を制御することを特徴とする空気調和機。
【請求項２】
前記通信部はインターネットに接続され、
前記制御部は、前記電子機器の消費電力情報を、前記空気調和機の運転開始前に予めダウンロードして保持していることを特徴とする請求項１に記載の空気調和機。
【請求項３】
前記センサ部がサーモパイルを備え、
前記制御部は、
前記電子機器の操作者の発熱量を前記サーモパイルを用いて特定し、
前記操作者の発熱量に応じて運転状態を制御することを特徴とする請求項１に記載の空気調和機。
【発明の詳細な説明】
【技術分野】
【０００１】
周辺機器の情報をもとに運転状態を自動で制御する空気調和機に関する。
【背景技術】
【０００２】
近年、ＨＥＭＳ（Ｈｏｍｅ  Ｅｎｅｒｇｙ  Ｍａｎａｇｅｍｅｎｔ  Ｓｙｓｔｅｍ）に代表される宅内の家電及び給湯設備を一括制御することで省エネルギー及び効率化を図るシステムが普及してきている。これらのシステムに接続されて使用される機器は、ＬＡＮ（Ｌｏｃａｌ  Ａｒｅａ  Ｎｅｔｗｏｒｋ）に代表されるネットワークに接続する通信機能を有する。このような機器は、他の機器の運転状態をモニタリングして操作することが可能である。ここで、通信機能には、イーサネット（登録商標）をはじめとする有線通信機能並びにＷｉ−Ｆｉ（登録商標）及びＢｌｕｅｔｏｏｔｈ（登録商標）をはじめとする無線通信機能を例示することができる。【０００３】
特許文献１には、室内の機器との通信を良好にして、室内の機器を遠隔操作することを課題とし、自走用の走行部と、指向性を有し、遠隔操作される被制御機器へ遠隔操作信号を送信する無線信号通信部と、指向方向を変更可能に、無線信号通信部を支持する支持部とを備える自走式電子機器が開示されている。特許文献１では、自走式電子装置が取得した温度が設定温度より高い場合には冷房運転を開始する。
【先行技術文献】
【特許文献】
【０００４】
【特許文献１】特開２０１３−２５０００５号公報
【発明の概要】
【発明が解決しようとする課題】
【０００５】
しかしながら、上記従来の技術によれば、自走式電子装置の取得温度のみを考慮して部屋全体の温度制御を行っている。そのため、部屋にいる操作者の快適性を維持することができず、更には無駄な消費電力を生ずる、という問題があった。【０００６】
本発明は、上記に鑑みてなされたものであって、発熱する電子機器が存在する場合であっても、快適性を維持しつつ消費電力を抑制可能な空気調和機を得ることを目的とする。
【課題を解決するための手段】
【０００７】
上述した課題を解決し、目的を達成するために、本発明に係る空気調和機は、発熱する電子機器の存在する空間を空調制御する空気調和機であって、運転時に発熱する電子機器と無線通信又は有線通信可能な通信部と、前記電子機器の居場所を特定可能なセンサ部と、前記空気調和機の動作を制御する制御部とを備え、前記制御部は、前記電子機器の運転状態及び消費電力情報を前記通信部により取得し、前記センサ部を用いて前記電子機器の居場所を特定し、前記電子機器の発熱量及び前記消費電力情報に応じて運転状態を制御することを特徴とする。
【発明の効果】
【０００８】
本発明に係る空気調和機は、発熱する電子機器が存在する場合であっても、快適性を維持しつつ消費電力を抑制可能な空気調和機を得ることができるという効果を奏する。
【図面の簡単な説明】
【０００９】
【図１】実施の形態１に係る空気調和機と、同一空間に配された掃除機とを示す第１の図
【図２】実施の形態１に係る空気調和機と、同一空間に配された掃除機とを示す第２の図
【図３】実施の形態１に係る空気調和機と、同一空間に配された掃除機とを示す第３の図
【図４】実施の形態１に係る空気調和機と、同一空間に配された掃除機とを示す第４の図
【図５】実施の形態１に係る空気調和機の概略構成の一例を示す図
【図６】実施の形態１における運転制御の一例を説明するフローチャート
【図７】実施の形態１に係る空気調和機が内部に保持する掃除機の運転状態別の消費電力量及び発熱量の一例を示す図
【図８】実施の形態２における運転制御の一例を説明するフローチャート
【発明を実施するための形態】
【００１０】
以下に、本発明の実施の形態に係る空気調和機を図面に基づいて詳細に説明する。なお、この実施の形態によりこの発明が限定されるものではない。
【００１１】
実施の形態１．
図１は、実施の形態１に係る空気調和機と、同一空間に配された掃除機とを示す第１の図である。図１に示す空気調和機１００は、掃除機２００が設置される空間と同一の空間に設置されている。空気調和機１００及び掃除機２００は、無線通信機能を有し、情報の送受信が可能である。ここで、無線通信機能には、Ｗｉ−Ｆｉ（登録商標）を例示することができる。
【００１２】
また、この空間内にはＡＰと記載する、アクセスポイント３００も設置されている。図１においては、このアクセスポイント３００を主局として空気調和機１００と掃除機２００とが同じネットワークシステムに属している。そのため、空気調和機１００及び掃除機２００は、アクセスポイント３００を介して無線通信を行うことで互いの運転状態をはじめとする各種情報を共有可能である。ここで、各種情報には、消費電力、機種名、内蔵している機能の情報を例示することができる。
【００１３】
これらの各種情報は、特定の通信プロトコルにてネットワーク上で送受信される。ここで、通信プロトコルには、ＥＣＨＯＮＥＴ（登録商標）及びＥＣＨＯＮＥＴ  Ｌｉｔｅ（登録商標）を例示することができる。
【００１４】
図２は、実施の形態１に係る空気調和機と、同一空間に配された掃除機とを示す第２の図である。図１では、空気調和機１００と掃除機２００とは、アクセスポイント３００を介して無線通信を行っているが、図２に示すように、空気調和機１００と掃除機２００とは、アクセスポイント３００を介することなく直接無線通信を行ってもよい。
【００１５】
図３は、実施の形態１に係る空気調和機と、同一空間に配された掃除機とを示す第３の図である。図３には、図１におけるアクセスポイント３００に代えてサーバ兼アクセスポイント３００ａが設置されている。図３に示すサーバ兼アクセスポイント３００ａによれば、空気調和機１００と掃除機２００との間、すなわち機器間でデータを送受信するのみならず、これらの機器がサーバ兼アクセスポイント３００ａにデータを送信し、サーバ兼アクセスポイント３００ａの情報を参照することで互いの運転状態をはじめとする各種情報を取得可能な構成としてもよい。
【００１６】
図４は、実施の形態１に係る空気調和機と、同一空間に配された掃除機とを示す第４の図である。図４には、図１におけるアクセスポイント３００に代えて、外部のサーバ３０１と通信可能なアクセスポイント３００ｂが示されている。図４において、空気調和機１００及び掃除機２００は、アクセスポイント３００ｂを介して外部のサーバ３０１と通信してデータの送受信を行う。
【００１７】
図５は、実施の形態１に係る空気調和機の概略構成の一例を示す図である。図５に示す空気調和機１００は、同一空間において同時に動作している掃除機２００の運転状態及び運転位置を参照して空調制御を行う。すなわち、空気調和機１００は、掃除機２００の動作中にも自動的に室内空間の快適性を維持する。
【００１８】
図５に示す空気調和機１００は、通信部１０１と、センサ部１０２と、入力インターフェース部１０３と、表示部１０４と、制御部１０５と、フラップ１０６と、室内ファン１０７と、熱交換器１０８とを備える。また、空気調和機１００は、通信部１０１を介してリモートコントローラ１１０及びスマートフォン１１１と各種信号の送受信を行う。
【００１９】
通信部１０１は、赤外線又は無線電波を用いて、リモートコントローラ１１０、スマートフォン１１１及び図示しないアクセスポイント３００と無線通信を行う。又は、通信部１０１は、有線ＬＡＮ又は専用線を介した有線通信を行う。通信部１０１は、リモートコントローラ１１０から送信される制御信号又はアクセスポイントを経由したスマートフォン１１１から送信される制御信号を受信する。また、通信部１０１は、制御部１０５から送られる制御信号を空気調和機１００及び掃除機２００に送信する。なお、制御信号は、空気調和機１００及び掃除機２００を制御するための情報を含む信号である。
【００２０】
センサ部１０２は、被検出物である人又は物の状態を検出するセンサを備え、このセンサの検出結果を制御部１０５に送信する。ここで、被検出物の状態には、被検出物の温度、被検出物の動き及び被検出物の周囲の色を例示することができる。
【００２１】
被検出物の情報を検出するセンサには、サーモパイルセンサー又は焦電センサを例示することができるが、これらに限定されるものではない。センサ部１０２は、イメージセンサを搭載したカメラを備えていてもよく、このカメラを用いて、被検出物自体の色又は動き及び被検出物の周囲の色又は動きを検出する。
【００２２】
センサ部１０２が被検出物の温度を検知する場合には、センサ部１０２はフォトダイオード又は近赤外線までの感度分布を有するＣＣＤ（Ｃｈａｒｇｅ  Ｃｏｕｐｌｅｄ  Ｄｅｖｉｃｅ）イメージセンサを備えていてもよい。また、センサ部１０２が被検出物の周囲の色を検出する場合には、センサ部１０２はＣＣＤイメージセンサ又はＣＭＯＳ（Ｃｏｍｐｌｅｍｅｎｔａｒｙ  ＭＯＳ）イメージセンサを備えていてもよい。
【００２３】
入力インターフェース部１０３は、操作者が空気調和機１００を直接操作するために設けられたインターフェースである。入力インターフェース部１０３には、スイッチ及びタッチパネルを例示することができる。スイッチには、プッシュスイッチ及びタクトスイッチを用いることができる。また、タッチパネルには、抵抗膜検出方式及び静電容量検出方式を用いることができる。
【００２４】
表示部１０４は、空気調和機１００の運転状態及びエラー情報を操作者に通知する。表示部１０４には、ＬＥＤ（Ｌｉｇｈｔ  Ｅｍｉｔｔｉｎｇ  Ｄｉｏｄｅ）及びＬＣＤ（Ｌｉｑｕｉｄ  Ｃｒｙｓｔａｌ  Ｄｉｓｐｌａｙ）を例示することができる。入力インターフェース部１０３がタッチパネルである場合には、入力インターフェース部１０３と表示部１０４は一体であってもよい。
【００２５】
ここで、ＬＥＤは、点灯する色又は点灯パターンによって、空気調和機の運転状態及びエラー情報を表示することが可能である。また、ＬＣＤは、数値、記号又は文字によって、運転状態及びエラー情報を表示することが可能である。ここで、運転状態には、冷房運転、暖房運転及び送風運転を例示することができる。
【００２６】
制御部１０５は、プロセッサ及びメモリを有し、空気調和機１００の運転状態を制御する。また、制御部１０５は、通信部１０１からの情報を受け取って空気調和機１００の運転状態に反映させ、センサ部１０２からの情報を受け取って空気調和機１００の運転状態を変更し、入力インターフェース部１０３からの制御信号を受け取り、表示部１０４への表示情報を生成し、フラップ１０６により送風方向を制御し、室内ファン１０７により送風の強弱を制御する。
【００２７】
フラップ１０６は、上下方向及び左右方向に動作することで送風方向を制御して目標とする方向に風を送る。上下方向のフラップは、上下１枚としてもよいし、複数枚としてもよい。複数枚とすると、より細かく方向を制御することができる。また、左右方向のフラップについても、１枚又は複数枚とする。フラップ１０６は、制御部１０５からの信号により自動制御してもよいし、操作者の手動設定による制御が行われてもよい。なお、フラップ１０６は、上下フラップ及び左右フラップいずれかを備えていなくてもよい。
【００２８】
室内ファン１０７は、空気調和機１００の内部に横方向に設置されるラインフローファン及び縦方向に設置されるプロペラファンを備え、回転数の高低により送出される風量を制御する。
【００２９】
熱交換器１０８は、空気調和機１００の図示しない室外機と冷媒配管を通じて接続されている。熱交換器１０８には、空気調和機１００の図示しない室外機の圧縮機で温度調整された冷媒が流れ、空気調和機１００に取り込まれる空気の熱交換を行う。
【００３０】
次に、掃除機２００が運転している場合の空気調和機１００の制御について図６を用いて説明する。図６は、実施の形態１における運転制御の一例を説明するフローチャートである。
【００３１】
まず、空気調和機１００の運転をスタートする。空気調和機１００は、発熱する周辺機器の運転状態に変化があるか否かを判定する（Ｓ１１）。周辺機器の運転状態に変化がない場合（Ｓ１１：Ｎｏ）には、変化があるまで判定を繰り返す。すなわち、空気調和機１００は、周辺機器の運転状態に変化があるか否かを運転中に定期的に確認する。なお、周辺機器の運転状態の変化には、オンオフの変化及び強弱設定の変化を例示することができる。
【００３２】
周辺機器の運転状態に変化がある場合（Ｓ１１：Ｙｅｓ）には、運転状態に変化があった周辺機器が掃除機であり、且つこの掃除機がオンしているか否かを判定する（Ｓ１２）。運転状態に変化があった周辺機器が掃除機ではない場合又は運転状態に変化があった周辺機器が掃除機ではあるが、オンしていない場合（Ｓ１２：Ｎｏ）には、Ｓ１１に戻り、周辺機器の運転状態に変化があるか否かを判定する。
【００３３】
運転状態に変化があった周辺機器が掃除機であり、且つこの掃除機がオンしている場合（Ｓ１２：Ｙｅｓ）には、空気調和機１００は、掃除機の運転状態及び消費電力の情報を取得する（Ｓ１３）。
【００３４】
次に、空気調和機１００は、センサ部１０２からの情報を用いて、掃除機の居場所を検出し（Ｓ１４）、空気調和機１００の運転状態、すなわち冷房であるか又は暖房であるかに応じて運転状態を変更する（Ｓ１５）。ここで、運転状態の変更の詳細については後述する。
【００３５】
次に、掃除機の運転状態に変化があるか否かを判定する（Ｓ１６）。すなわち、空気調和機１００は、掃除機の運転状態が変化したか逐次確認する。掃除機の運転状態に変化がない場合（Ｓ１６：Ｎｏ）には、変化があるまで判定を繰り返す。掃除機の運転状態に変化がある場合（Ｓ１６：Ｙｅｓ）には、掃除機がオフしたか否かを判定する（Ｓ１７）。すなわち、変化がある場合には、掃除機がオフしたかどうかを確認する。
【００３６】
掃除機がオフしていない場合（Ｓ１７：Ｎｏ）には、Ｓ１３に戻り、掃除機の運転状態及び消費電力の情報を取得する（Ｓ１３）。掃除機がオフした場合（Ｓ１７：Ｙｅｓ）には、空気調和機１００の運転状態をＳ１５の変更前に戻す（Ｓ１８）。
【００３７】
ただし、掃除機２００の余熱により室内への影響がある場合には、Ｓ１５で変更した運転状態を設定時間だけ維持した後に、変更前の運転状態に戻すように制御してもよい。すなわち、変更前の運転状態に戻すまでにタイムラグを設けても構わない。
【００３８】
空気調和機１００の運転状態が冷房であった場合には、Ｓ１５における運転状態の変更では、掃除機２００から送られる消費電力及び発熱量の情報を用いて冷房設定温度を下げ、風量を強めるように運転状態を変更し、掃除機２００に風が送出されるようにフラップ１０６の向きを制御する。
【００３９】
このとき、掃除機２００の運転開始前の設定が人に風をあてない設定であった場合には掃除機２００の操作者及び掃除機２００に直接風を当てないよう制御し、掃除機２００の操作者及び掃除機２００の周辺に風を送るようにフラップ１０６の向きを制御する。
【００４０】
空気調和機１００の運転状態が暖房であった場合には、Ｓ１５における運転状態の変更では、掃除機２００から送られる消費電力及び発熱量の情報を用いて空間温度の上昇具合を算出し、暖房設定温度を下げ、風量を弱め、掃除機２００の発熱量を含めて設定温度となるように運転状態を変更する。
【００４１】
図７は、実施の形態１に係る空気調和機が内部に保持する掃除機の運転状態別の消費電力量及び発熱量の一例を示す図である。なお、掃除機２００から取得する消費電力及び発熱量が不明である場合、又は消費電力及び発熱量を送信しない機種である場合には、掃除機２００の型名情報を用いてインターネットを介して取得してもよい。
【００４２】
図７には、強設定、中設定又は弱設定の各々の運転状態に対して、消費電力及び発熱量が示されている。空気調和機１００は、掃除機２００の動作時に、空間において必要な冷却量及び削減可能な加熱量を算出することができる。
【００４３】
また、掃除機２００が強設定、中設定又は弱設定といった運転状態のみを通知して消費電力及び発熱量の情報を通知しない場合であって、且つインターネットを介して情報を入手できない場合には、センサ部１０２が動作中の掃除機２００の温度を検知することで発熱量を算出してもよい。
【００４４】
実施の形態１によれば、掃除機２００の運転時の発熱量を考慮して、空気調和機１００の運転状態を設定可能である。また、掃除機２００の運転時の発熱量を考慮して室内の温度環境を快適に保つことが可能である。更には、掃除機２００の運転時の発熱量を考慮して暖房運転時に無駄な高負荷運転を避けることが可能であるため、消費電力を抑制することができる。すなわち、掃除機２００の運転時の発熱量を考慮して空気調和機１００の運転状態の変更を従来よりも早く行うことができる。
【００４５】
また、実施の形態１では、掃除機２００を代表例として説明したが、本発明はこれに限定されるものではなく、運転時に発熱する他の機器にも同様に適用することができる。例えば、冬季に運転する加湿器であれば高温の蒸気を放射するので、加湿器の消費電力及び放射熱量を考慮して空気調和機の暖房設定温度を低下させ、風量を抑えることで、省エネルギー運転が可能となる。また、ゲーム機器及びテレビも消費電力及び発熱量が非常に大きいため、ゲーム機器及びテレビの運転状態の情報を用いて空気調和機１００の暖房設定温度を低下させ、風量を抑えることで、省エネルギー運転が可能となる。
【００４６】
また、夏季の冷房運転中には、ゲーム機器及びテレビは、温度を上昇させるため、ゲーム機器及びテレビの運転状態の情報を用いて空気調和機１００の冷房設定温度を低下させ、風量を多くすることで、室内を快適に保つことができる。
【００４７】
実施の形態２．
実施の形態１では掃除機の発熱量を考慮した空気調和機について説明したが、実施の形態２では、掃除機の発熱量のみならず、操作者の体温変化も考慮して制御を変更する方法について説明する。なお、本実施の形態に係る空気調和機の構成は実施の形態１と同様である。
【００４８】
図８は、実施の形態２における運転制御の一例を説明するフローチャートである。まず、空気調和機１００の運転をスタートする。空気調和機１００は、周辺機器の運転状態に変化があるか否かを判定する（Ｓ２１）。周辺機器の運転状態に変化がない場合（Ｓ２１：Ｎｏ）には、変化があるまで判定を繰り返す。すなわち、空気調和機１００は、周辺機器の運転状態に変化があるか否かを運転中に定期的に確認する。
【００４９】
周辺機器の運転状態に変化がある場合（Ｓ２１：Ｙｅｓ）には、運転状態に変化があった周辺機器が掃除機であり、且つこの掃除機がオンしているか否かを判定する（Ｓ２２）。運転状態に変化があった周辺機器が掃除機ではない場合又は運転状態に変化があった周辺機器が掃除機ではあるが、オンしていない場合（Ｓ２２：Ｎｏ）には、Ｓ２１に戻り、周辺機器の運転状態に変化があるか否かを判定する。運転状態に変化があった周辺機器が掃除機であり、且つこの掃除機がオンしている場合（Ｓ２２：Ｙｅｓ）には、空気調和機１００は、掃除機の運転状態及び消費電力の情報を取得する（Ｓ２３）。ここまでの動作は実施の形態１と同様である。
【００５０】
次に、空気調和機１００は、センサ部１０２からの情報を用いて、掃除機及び操作者の居場所を検出し（Ｓ２４）、操作者の露出部分温度を検出する（Ｓ２５）。ここで、操作者の露出部分には、操作者の顔、手及び足を例示することができる。空気調和機１００の運転状態、すなわち冷房であるか又は暖房であるかに応じて運転状態を変更する（Ｓ２６）。
【００５１】
次に、掃除機の運転状態又は操作者の状態に変化があるか否かを判定する（Ｓ２７）。すなわち、空気調和機１００は、掃除機の運転状態又は操作者の状態が変化したか逐次確認する。掃除機の運転状態又は操作者の状態に変化がない場合（Ｓ２７：Ｎｏ）には、変化があるまで判定を繰り返す。掃除機の運転状態又は操作者の状態に変化がある場合（Ｓ２７：Ｙｅｓ）には、掃除機がオフしたか否かを判定する（Ｓ２８）。すなわち、変化した場合には、掃除機がオフしたかどうかを確認する。掃除機がオフした場合（Ｓ２８：Ｙｅｓ）には、空気調和機１００の運転状態をＳ２６の変更前に戻す（Ｓ２９）。掃除機がオフしていない場合（Ｓ２８：Ｎｏ）には、掃除機の運転状態又は操作者の状態に応じて空気調和機の運転状態を変更する（Ｓ３０）。
【００５２】
ここで、操作者の状態変化に応じて空気調和機の運転状態を変更する方法の一例について説明する。冷房動作の場合には、掃除機の運転がオンとなった直後の操作者の顔温度がα［℃］、定期的にモニタしている際の操作者の顔温度がβ［℃］であったとすると、両者の差であるβ−α［℃］が設定したしきい値以上となった場合には空気調和機の設定温度を下げ、又は風速を強める。ここで、設定したしきい値には、１℃を例示することができる。
【００５３】
また、操作者の顔温度のみならず、手又は足の温度変化に応じて空気調和機の設定を変更してもよいし、顔温度及び手足の温度変化を組み合わせて空気調和機の設定を変更してもよい。
【００５４】
更に、操作者の体温変化のみならず、掃除機の運転状態の変化も考慮して空気調和機の設定を変更してもよい。
【００５５】
空気調和機が冷房運転している場合には、掃除機の消費電力及び発熱量が一定量に到達しても、操作者の状態が変化していなければ空気調和機の設定の変更を行わず、省エネルギーで運転し続けてもよい。
【００５６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５７】
１００  空気調和機、１０１  通信部、１０２  センサ部、１０３  入力インターフェース部、１０４  表示部、１０５  制御部、１０６  フラップ、１０７  室内ファン、１０８  熱交換器、１１０  リモートコントローラ、１１１  スマートフォン、２００  掃除機、３００，３００ｂ  アクセスポイント、３００ａ  サーバ兼アクセスポイント、３０１  サーバ。
【図１】
2017145225.tif 000003
【図２】
2017145225.tif 000004
【図３】
2017145225.tif 000005
【図４】
2017145225.tif 000006
【図５】
2017145225.tif 000007
【図６】
2017145225.tif 000008
【図７】
2017145225.tif 000009
【図８】
2017145225.tif 000010
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
発熱する電子機器の存在する空間を空調制御する空気調和機であって、
運転時に発熱する電子機器と無線通信又は有線通信可能な通信部と、
前記電子機器の居場所を特定可能なセンサ部と、
前記空気調和機の動作を制御する制御部とを備え、
前記制御部は、
前記電子機器の運転状態、発熱量及び消費電力情報を前記通信部により取得し、
前記センサ部を用いて前記電子機器の居場所を特定し、
前記電子機器が動作状態にあるときには、前記電子機器の居場所の情報及び前記通信部により取得した情報に基づいて前記空気調和機の運転状態を変更することを特徴とする空気調和機。 
【請求項２】
前記通信部はインターネットに接続され、
前記制御部は、前記電子機器の消費電力情報を、前記空気調和機の運転開始前に予めダウンロードして保持していることを特徴とする請求項１に記載の空気調和機。 
【請求項３】
前記センサ部がサーモパイルを備え、
前記制御部は、
前記電子機器の操作者の発熱量を前記サーモパイルを用いて特定し、
前記操作者の発熱量に応じて運転状態を制御することを特徴とする請求項１に記載の空気調和機。
【請求項４】
前記電子機器が移動体であることを特徴とする請求項１から請求項３のいずれか一項に記載の空気調和機。
【手続補正２】
【補正対象書類名】明細書
【補正対象項目名】０００７
【補正方法】変更
【補正の内容】
【０００７】
上述した課題を解決し、目的を達成するために、本発明に係る空気調和機は、発熱する電子機器の存在する空間を空調制御する空気調和機であって、運転時に発熱する電子機器と無線通信又は有線通信可能な通信部と、前記電子機器の居場所を特定可能なセンサ部と、前記空気調和機の動作を制御する制御部とを備え、前記制御部は、前記電子機器の運転状態、発熱量及び消費電力情報を前記通信部により取得し、前記センサ部を用いて前記電子機器の居場所を特定し、前記電子機器が動作状態にあるときには、前記電子機器の居場所の情報及び前記通信部により取得した情報に基づいて前記空気調和機の運転状態を変更することを特徴とする。
【国際調査報告】
2017145225.tif 000011
2017145225.tif 000012
2017145225.tif 000013
2017145225.tif 000014